(57)【要約】【課題】本発明が解決しようとする課題は、ラベルプリンタにラベル巻を装着しなくても、必要枚数のラベルを印字可能なラベル巻であるかが分かるラベル管理システムを提供することである。【解決手段】実施形態のラベルシステムは、装着された複数枚のラベルが保持されたラベル巻からラベルを引き出して情報を印字する１台または複数台のラベルプリンタと、サーバと、がネットワークで接続されたラベルシステムであって、前記ラベルプリンタは、前記ラベルの印字枚数の入力を受け付ける入力部と、前記入力部が入力を受け付けた前記印字枚数を前記サーバに送信する送信部と、を備え、前記サーバは、前記ラベル巻に保持された印字可能なラベルの残枚数をラベル巻毎に記憶する記憶部と、前記送信部から送信された前記印字枚数と前記記憶部が記憶する印字可能なラベルの枚数に基づいて前記ラベルプリンタで使用するラベル巻を抽出するラベル巻抽出部、を備える。【選択図】図８
2020160699.tif 000002
【特許請求の範囲】
【請求項１】
装着された複数枚のラベルが保持されたラベル巻からラベルを引き出して情報を印字する１台または複数台のラベルプリンタと、サーバと、がネットワークで接続されたラベルシステムであって、
前記ラベルプリンタは、
前記ラベルの印字枚数の入力を受け付ける入力部と、
前記入力部が入力を受け付けた前記印字枚数を前記サーバに送信する送信部と、
を備え、
前記サーバは、
前記ラベル巻に保持された印字可能なラベルの残枚数をラベル巻毎に記憶する記憶部と、
前記送信部から送信された前記印字枚数と前記記憶部が記憶する印字可能なラベルの枚数に基づいて前記ラベルプリンタで使用するラベル巻を抽出するラベル巻抽出部、
を備えたラベルシステム。
【請求項２】
前記ラベル巻抽出部は、前記印字枚数以上の前記残枚数の前記ラベルを保持するラベル巻を抽出する、
請求項１に記載のラベルシステム。
【請求項３】
前記記憶部はラベル種類とラベルサイズをさらに記憶し、
前記ラベル巻抽出部は、前記印字枚数以上の前記残枚数を保持するラベル巻がない場合には、前記印字枚数とともに送信されたラベル種類およびラベルサイズに基づいて、前記記憶されているラベルと同じラベルが貼付されたラベル巻を抽出する、
請求項２に記載のラベルシステム。
【請求項４】
複数台の前記ラベルプリンタが前記ネットワークで前記サーバに接続されており、
前記ラベルプリンタは、
前記入力部が受け付けた印字枚数を印字終了する前にラベルがなくなった場合には、ラベルの未印字枚数を前記サーバに送信する未印字枚数送信部、をさらに備え、
前記サーバは、
前記未印字枚数送信部が送信した未印字枚数のラベルを印字可能な他のラベルプリンタにラベルの印字を指示する指示部、
をさらに備えた請求項３に記載のラベルシステム。
【請求項５】
前記記憶部は、前記ラベルプリンタに装着されているラベル巻とラベルプリンタに装着されていないラベル巻とを区別して記憶し、
前記ラベル巻抽出部は、前記記憶部が記憶しているラベルプリンタに装着されていないラベル巻から前記ラベルプリンタで使用するラベル巻を抽出する、
請求項１乃至３のいずれか一に記載のラベルシステム。
【発明の詳細な説明】
【技術分野】
【０００１】
本発明の実施形態は、ラベルシステムに関する。
【背景技術】
【０００２】
従来、ラベルに情報を印字するラベルプリンタが知られている。このような、ラベルプリンタは、ラベル巻（多数枚のラベルが帯状に保持されたロール紙）を装着して、入力された枚数分のラベルに情報を印字して発行する。
【０００３】
しかしながら、従来のラベルプリンタは、ラベルプリンタにラベル巻を装着することで当該ラベル巻が有するラベルの残枚数を読み取ることから、ラベル巻を装着して初めて、必要な枚数のラベルが印字可能なラベル巻であるかが分かった。
【発明の概要】
【発明が解決しようとする課題】
【０００４】
本発明が解決しようとする課題は、ラベルプリンタにラベル巻を装着しなくても、必要枚数のラベルを印字可能なラベル巻が分かるラベル管理システムを提供することである。
【課題を解決するための手段】
【０００５】
実施形態のラベルシステムは、装着された複数枚のラベルが保持されたラベル巻からラベルを引き出して情報を印字する１台または複数台のラベルプリンタと、サーバと、がネットワークで接続されたラベルシステムであって、前記ラベルプリンタは、前記ラベルの印字枚数の入力を受け付ける入力部と、前記入力部が入力を受け付けた前記印字枚数を前記サーバに送信する送信部と、を備え、前記サーバは、前記ラベル巻に保持された印字可能なラベルの残枚数をラベル巻毎に記憶する記憶部と、前記送信部から送信された前記印字枚数と前記記憶部が記憶する印字可能なラベルの枚数に基づいて前記ラベルプリンタで使用するラベル巻を抽出するラベル巻抽出部、を備える。
を備える。
【図面の簡単な説明】
【０００６】
【図１】図１は、実施形態に係るラベルシステムを示す図である。
【図２】図２は、ラベルプリンタの内部構造を側断面として示す説明図である。
【図３】図３は、ラベルプリンタのハードウェア構成を示すブロック図である。
【図４】図４は、ラベル記憶部におけるラベル巻情報を示す図である。
【図５】図５は、無線タグリーダのハードウェア構成を示すブロック図である。
【図６】図６は、サーバのハードウェア構成を示すブロック図である。
【図７】図７は、ラベルテーブルにおけるラベル巻情報を示す図である。
【図８】図８は、ラベルシステムの機能構成を示す機能ブロック図である。
【図９】図９は、ラベルプリンタの制御処理の流れを示すフローチャートである。
【図１０】図１０は、ラベルプリンタの表示例を示す図である。
【図１１】図１１は、ラベルプリンタの他の表示例を示す図である。
【図１２】図１２は、無線タグリーダの制御処理の流れを示すフローチャートである。
【図１３】図１３は、サーバの制御処理の流れを示すフローチャートである。
【発明を実施するための形態】
【０００７】
以下、図面を参照して、実施形態に係るラベルシステムについて説明する。なお、以下に説明する実施形態により、この発明が限定されるものではない。
【０００８】
図１は、実施形態に係るラベルシステムを示す図である。図１に示すように、ラベルシステムは、複数台（例えば４台）のラベルプリンタ１と１台のサーバ５とを備える。さらに、図１において、ラベルシステム以外に１台の無線タグリーダ３を備える。各ラベルプリンタ１と無線タグリーダ３とサーバ５は、例えばＬＡＮ（Local  Area  Network）等のネットワークＬで相互に接続されている。
【０００９】
ラベルプリンタ１は、ネットワークＬを介して、他のラベルプリンタ１、無線タグリーダ３、およびサーバ５と相互に情報の送受信を行う。ラベルプリンタ１は、装着されたラベル巻（長尺状の台紙に、複数枚の未印字のラベルが一定間隔に保持され、巻回されたロール状のもの）からラベルを引き出して、表面に印字を行って発行する。各ラベル巻は、台紙が巻回された中心部に紙軸を備え、紙軸には、当該ラベルに係る情報を記憶した無線タグが貼付されている。ラベルプリンタ１は、ラベル巻に貼付された無線タグからタグ情報を受信する。ラベルプリンタ１については図２を用いて後述する。
【００１０】
無線タグリーダ３は、ネットワークＬを介して、各ラベルプリンタ１およびサーバ５と相互に情報の送受信を行う。無線タグリーダ３は、アンテナ３９（図５を参照）を備え、紙軸に貼付されている無線タグから、ラベル巻に係るタグ情報を受信する。受信したタグ情報は、サーバ５に送信される。無線タグリーダ３は、これから使用する（すなわち、まだ未使用の）ラベル巻４について、無線タグからラベル巻の情報を受信する。
【００１１】
サーバ５は、ネットワークＬを介して、各ラベルプリンタ１および無線タグリーダ３と相互に情報の送受信を行う。サーバ５は、ラベルプリンタ１に装着される複数種類のラベル巻について、各ラベル巻を個別に管理する。
【００１２】
次に、ラベルプリンタ１の構造について説明する。図２は、ラベルプリンタ１の内部構造を側断面として示す説明図である。図２に示すように、ラベルプリンタ１は、ラベル保持部９、プラテン６、サーマルヘッド８などが配置されている。ラベル保持部９は、紙管２にラベルＲを巻回したラベル巻４を、ラベルプリンタ１の内部に保持する。ラベル保持部９は、例えば円柱状の形状であり、紙管２に挿入してラベル巻４を保持する。プラテン６は、矢印方向に回転して、ラベルＲをラベル巻４から搬送方向Ａに向けて引き出して搬送する。サーマルヘッド８は、プラテン６に対向した位置に配設され、引き出されたラベルＲに対してインクリボン７に熱を印加して、情報を印字する。無線タグＴは例えば紙管２に埋め込まれるか、紙管２の内円側に貼付される。
【００１３】
また、ラベルプリンタ１は、無線タグＲ／Ｗ（リーダライタ）２２を備える。無線タグＲ／Ｗ２２は、ラベル巻４に貼付された無線タグＴから発信されたラベル巻４に係るタグ情報を読み取る。
【００１４】
また、ラベルプリンタ１は、装置上面に表示部１９を備える。表示部１９は、ラベルプリンタ１の操作者に対して情報を表示する。
【００１５】
ここからは、ラベルプリンタ１のハードウェアについて説明する。図３は、ラベルプリンタ１のハードウェア構成を示すブロック図である。図３に示すように、ラベルプリンタ１は、ＣＰＵ（Central  Processing  Unit）１１、ＲＯＭ（Read  Only  Memory）１２、ＲＡＭ（Random  Access  Memory）１３、メモリ部１４等を備えている。ＣＰＵ１１は制御主体となる。ＲＯＭ１２は各種プログラムを記憶する。ＲＡＭ１３はプログラムや各種データを展開する。メモリ部１４は各種プログラムを記憶する。ＣＰＵ１１、ＲＯＭ１２、ＲＡＭ１３、メモリ部１４は、互いにバス１５を介して接続されている。ＣＰＵ１１とＲＯＭ１２とＲＡＭ１３が、制御部１００を構成する。すなわち、制御部１００は、ＣＰＵ１１がＲＯＭ１２やメモリ部１４に記憶されＲＡＭ１３に展開された制御プログラムに従って動作することによって、後述するラベルプリンタ１の制御処理を実行する。
【００１６】
ＲＡＭ１３は、印字情報部１３１、印字枚数記憶部１３２、カウント記憶部１３３を備える。印字情報部１３１は、サーバ５や他の情報処理装置（図示せず）から受信した、ラベルに印字する文字や図形等の印字情報（ラベルＲに印字する印字データ、ラベル種類、ラベルサイズを含む情報）を記憶する。印字枚数記憶部１３２は、入力されたラベルＲの印字枚数を記憶する。
【００１７】
メモリ部１４は、ＨＤＤ（Hard  Disc  Drive）やフラッシュメモリ等で構成されており、電源を遮断しても記憶内容を維持する。メモリ部１４は、制御プログラム部１４１とラベル巻記憶部１４２を備える。制御プログラム部１４１はラベルプリンタ１を制御するための制御プログラムを記憶する。ラベル巻記憶部１４２は、ラベルプリンタ１に装着されているラベル巻４のラベル巻情報を記憶する。
【００１８】
制御部１００は、バス１５とコントローラ１６を介して、モータ１７、サーマルヘッド１８、表示部１９、操作部２０、ラベル装着センサ２１、無線タグＲ／Ｗ２２を接続する。モータ１７は、プラテン６を矢印方向に回転させる。サーマルヘッド１８は、ラベルＲの搬送方向と直交する方向にライン状に多数個配列された発熱素子を備え、搬送されたラベルＲに熱を印加して情報を印字する。表示部１９は、ラベルプリンタ１を操作する操作者に対し、情報を表示する。操作部２０は、スタートキー２０１を含む、各種キーを備えたキーボードである。スタートキー２０１は、ラベルプリンタ１においてラベルＲの印字を開始する際に、操作者が操作する。
【００１９】
ラベル装着センサ２１は、ラベル巻４がラベル保持部９に保持されていることを検知する。無線タグＲ／Ｗ２２は、アンテナ２３を備え、紙管２に貼付されている無線タグＴから発信されたラベル巻４に係るラベル巻情報を、アンテナ２３を通して読み取る。
【００２０】
また、制御部１００は、バス１５を介して、通信Ｉ／Ｆ２４と接続する。通信Ｉ／Ｆ２４は、ネットワークＬを介して、他のラベルプリンタ１、無線タグリーダ３、サーバ５と、相互に情報の送受信が可能である。
【００２１】
次に、ラベル巻記憶部１４２について説明する。ラベル巻記憶部１４２は、ラベルプリンタ１に装着されたラベル巻４のラベル巻情報を記憶する。ラベルプリンタ１に装着されたラベル巻４を外し、別のラベル巻４を新たに装着した場合、ラベル巻記憶部１４２は、それまでに印字した枚数をクリアして新たに装着したラベル巻４のラベル巻情報を記憶する。
【００２２】
図４は、ラベル巻記憶部１４２におけるラベル巻４のラベル巻情報を示す図である。図４に示すように、ラベル巻記憶部１４２は、使用機番号部１４２１、ラベル種類部１４２２、ラベルサイズ部１４２３、ロット番号部１４２４、個体番号部１４２５、残枚数部１４２６を有する。使用機番号部１４２１は、当該ラベル巻４が装着されているラベルプリンタ１を特定する使用機番号が記憶される。ラベル種類部１４２２は、ラベルプリンタ１に装着されているラベル巻に貼付されているラベルＲの種類を記憶する。ラベルの種類は、例えば長期間の保存に適したラベルか短期間の保存に適したラベルか、また例えば、無線タグが内蔵されているラベルか否か、等の、ラベルの種類を記憶する。ラベルサイズ部１４２３は、ラベルＲのサイズ（ラベルの幅や高さを表す数値や、ラベルのサイズを表す記号等）が記憶される。ロット番号部１４２４は、当該ラベル巻４が製造されたロット番号（ラベル巻を製造するときに、一定量毎に付された管理番号。例えば、同じ段ボールに収納される複数のラベル巻４には同一のロット番号が付される。当該ロット番号で、ラベル巻４の製造年月日が分かる場合もある）を記憶する。個体番号部１４２５は、ラベル巻４を個別に特定する個体番号を記憶する。一つの個体番号は一つのラベル巻４のみを特定する。残枚数部１４２６は、個体番号で特定されるラベル巻４に保持されたラベルＲの残存数（当該ラベル巻４で印字可能なラベルの枚数情報）を記憶する。
【００２３】
ここからは、無線タグリーダ３のハードウェア構成について説明する。図５は、無線タグリーダ３のハードウェア構成を示すブロック図である。図５に示すように、無線タグリーダ３は、ＣＰＵ３１、ＲＯＭ３２、ＲＡＭ３３、メモリ部３４等を備えている。ＣＰＵ３１は制御主体となる。ＲＯＭ３２は各種プログラムを記憶する。ＲＡＭ３３はプログラムや各種データを展開する。メモリ部３４は各種プログラムを記憶する。ＣＰＵ３１、ＲＯＭ３２、ＲＡＭ３３、メモリ部３４は、互いにバス３５を介して接続されている。ＣＰＵ３１とＲＯＭ３２とＲＡＭ３３が、制御部３００を構成する。すなわち、制御部３００は、ＣＰＵ３１がＲＯＭ３２やメモリ部３４に記憶されＲＡＭ３３に展開された制御プログラムに従って動作することによって、後述する無線タグリーダ３の制御処理を実行する。
【００２４】
ＲＡＭ３３は、タグ記憶部３３１を備える。タグ記憶部３３１は、未使用のラベル巻４に貼付された無線タグＴから読み取った、当該ラベル巻４に係るタグ情報を記憶する。
【００２５】
メモリ部３４は、ＨＤＤやフラッシュメモリ等で構成されており、電源を遮断しても記憶内容を維持する。メモリ部３４は、制御プログラム部３４１を備える。制御プログラム部３４１は、無線タグリーダ３を制御するための制御プログラムを記憶する。
【００２６】
制御部３００は、バス３５とコントローラ３６を介して、表示部３７、操作部３８、アンテナ３９を接続する。表示部３７は、無線タグリーダ３の操作者に情報を表示する。操作部３８は、無線タグＴの読み取りに係る操作を行うキーボードである。アンテナ３９は、無線タグＴから発信したラベル巻４に係るタグ情報を受信する。無線タグリーダ３は、アンテナ３９が受信したタグ情報を読み取る。
【００２７】
また、制御部３００は、バス３５を介して、通信Ｉ／Ｆ４０と接続する。通信Ｉ／Ｆ４０は、ネットワークＬを介して、サーバ５と、相互に情報の送受信が可能である。
【００２８】
ここからは、サーバ５のハードウェア構成について説明する。図６は、サーバ５のハードウェア構成を示すブロック図である。図６に示すように、サーバ５は、ＣＰＵ５１、ＲＯＭ５２、ＲＡＭ５３、メモリ部５４等を備えている。ＣＰＵ５１は制御主体となる。ＲＯＭ５２は各種プログラムを記憶する。ＲＡＭ５３はプログラムや各種データを展開する。メモリ部５４は各種プログラムを記憶する。ＣＰＵ５１、ＲＯＭ５２、ＲＡＭ５３、メモリ部５４は、互いにバス５５を介して接続されている。ＣＰＵ５１とＲＯＭ５２とＲＡＭ５３が、制御部５００を構成する。すなわち、制御部５００は、ＣＰＵ５１がＲＯＭ５２やメモリ部５４に記憶されＲＡＭ５３に展開された制御プログラムに従って動作することによって、後述するサーバ５の制御処理を実行する。
【００２９】
ＲＡＭ５３は、印字データ記憶部５３１を備える。印字データ記憶部５３１は、ラベル巻４に印字する文字や図形等の印字データを記憶する。
【００３０】
メモリ部５４は、ＨＤＤやフラッシュメモリ等で構成されており、電源を遮断しても記憶内容を維持する。メモリ部５４は、制御プログラム部５４１とラベルテーブル５４２を備える。制御プログラム部５４１は、サーバ５を制御するための制御プログラムを記憶する。ラベルテーブル５４２は、一または複数のラベル巻４に係るラベル巻情報を記憶する。ラベルテーブル５４２は、ラベルプリンタ１に装着したラベル巻４のラベル巻情報と、ラベルプリンタ１に装着していないラベル巻４の情報を記憶する。ラベルテーブル５４２は、無線タグリーダ３に読ませた未使用のラベル巻４に係るラベル巻情報を記憶するとともに、ラベル巻４を用いてラベルＲを印字した場合には、未使用の当該ラベル巻４に貼付されたラベルＲの枚数から、印字したラベルＲの枚数を減算した、当該ラベル巻４に係るラベルＲの残枚数を記憶する。ラベルテーブル５４２については、図７で後述する。
【００３１】
制御部５００は、バス５５とコントローラ５６を介して、表示部５７、操作部５８を接続する。表示部５７は、サーバ５の操作者に情報を表示する。操作部５８は、サーバ５を操作するためのキーボードである。
【００３２】
また、制御部５００は、バス５５を介して、通信Ｉ／Ｆ５９と接続する。通信Ｉ／Ｆ５９は、ネットワークＬを介して、各ラベルプリンタ１や無線タグリーダ３と、相互に情報の送受信が可能である。
【００３３】
次に、ラベルテーブル５４２について説明する。ラベルテーブル５４２は、サーバ５が管理するすべてのラベル巻４に係るラベル巻情報を記憶する。無線タグリーダ３から未使用のラベル巻４に係るラベル巻情報を受信した場合には、ラベルテーブル５４２は、当該未使用のラベル巻４のラベル巻情報を記憶する。そして、当該未使用のラベル巻４がいずれかのラベルプリンタ１で使用された場合には、ラベルテーブル５４２は、未使用状態に置けるラベル巻４に貼付したラベルＲの枚数から、使用したラベルＲの枚数を減算した、当該ラベル巻４に係るラベルＲの残枚数を記憶する。
【００３４】
図７は、ラベルテーブル５４２におけるラベル巻４のラベル巻情報の内容を示す図である。図７に示すように、ラベルテーブル５４２は、使用機番号部５４２１、ラベル種類部５４２２、ラベルサイズ部５４２３、ロット番号部５４２４、個体番号部５４２５、残枚数部５４２６を有する。使用機番号部５４２１は、当該ラベル巻４が装着されているラベルプリンタ１を特定する使用機番号が記憶される。なお、使用機番号部５４２１に「−」が記憶されている場合は、当該ラベル巻４はラベルプリンタ１に装着されていないことを示す。ラベル種類部５４２２は、ラベルプリンタ１に装着されているラベル巻に貼付されているラベルＲの種類を記憶する。ラベルサイズ部５４２３は、ラベルＲのサイズが記憶される。ロット番号部５４２４は、当該ラベル巻４が製造されたロット番号を記憶する。個体番号部５４２５は、ラベル巻４を個別に特定する個体番号を記憶する。一つの個体番号は一つのラベル巻４のみを特定する。残枚数部５４２６は、個体番号で特定されるラベル巻に貼付されたラベルＲの残存数を記憶する。
【００３５】
ラベルテーブル５４２は、無線タグリーダ３から読み取られた複数のラベル巻４のそれぞれについて、使用機番号、ラベル種類、ラベルサイズ、ロット番号、個体番号、残枚数を記憶する。図７の例では、ラベルテーブル５４２は、ラベル巻４ａ、ラベル巻４ｂ、ラベル巻４ｃ、ラベル巻４ｄの４個のラベル巻４について情報を記憶する。
【００３６】
ラベル巻４ａについて、使用機番号部５４２１に使用機番号が「００１」が記憶されている。これは、ラベル巻４ａが使用機番号が「００１」のラベルプリンタ１に装着されていることを示す。また、ラベル巻４ａについて、ラベル種類部５４２２に「Ａ」が記憶されている。これは、ラベル巻４ａが保持するラベルの種類が「Ａ」であることを示す。また、ラベル巻４ａについて、ラベルサイズ部５４２３にラベルサイズが「縦１０横２０」が記憶されている。これは、ラベル巻４ａが保持しているラベルサイズが「縦１０横２０」であることを示す。また、ラベル巻４ａについて、ロット番号部５４２４にロット番号「１２３４」が記憶されている。これは、ラベル巻４ａに付されたロット番号が「１２３４」であることを示す。また、ラベル巻４ａについて、個体番号部５４２５に個体番号「０１」が記憶されている。これは、ラベル巻４ａに付された個体番号が「０１」であることを示す。また、ラベル巻４ａについて、残枚数部５４２６に残枚数「５０」を記憶されている。これは、ラベル巻４ａにおけるラベルＲの残枚数は５０枚であることを示す。
【００３７】
ラベル巻４ｂについて、使用機番号部５４２１に使用機番号が「００２」が記憶されている。これは、ラベル巻４ｂが使用機番号が「００２」のラベルプリンタ１に装着されていることを示す。また、ラベル巻４ｂについて、ラベル種類部５４２２に「Ａ」が記憶されている。これは、ラベル巻４ｂが保持するラベルの種類が「Ａ」であることを示す。また、ラベル巻４ｂについて、ラベルサイズ部５４２３にラベルサイズが「縦１０横２０」が記憶されている。これは、ラベル巻４ｂが保持しているラベルサイズが「縦１０横２０」であることを示す。また、ラベル巻４ｂについて、ロット番号部５４２４にロット番号「１２３４」が記憶されている。これは、ラベル巻４ｂに付されたロット番号が「１２３４」であることを示す。また、ラベル巻４ｂについて、個体番号部５４２５に個体番号「０２」が記憶されている。これは、ラベル巻４ｂに付された個体番号が「０２」であることを示す。また、ラベル巻４ｂについて、残枚数部５４２６に残枚数「７５０」を記憶されている。これは、ラベル巻４ｂにおけるラベルＲの残枚数は７５０枚であることを示す。
【００３８】
ラベル巻４ｃについて、使用機番号部５４２１に使用機番号が「−」が記憶されている。これは、ラベル巻４ｃがラベルプリンタ１に装着されていない（所定の保管場所に保管されている）ことを示す。また、ラベル巻４ｃについて、ラベル種類部５４２２に「Ａ」が記憶されている。これは、ラベル巻４ｃが保持するラベルの種類が「Ａ」であることを示す。また、ラベル巻４ｃについて、ラベルサイズ部５４２３にラベルサイズが「縦１０横２０」が記憶されている。これは、ラベル巻４ｃが保持しているラベルサイズが「縦１０横２０」であることを示す。また、ラベル巻４ｃについて、ロット番号部５４２４にロット番号「１２３４」が記憶されている。これは、ラベル巻４ｃに付されたロット番号が「１２３４」であることを示す。また、ラベル巻４ｃについて、個体番号部５４２５に個体番号「０３」が記憶されている。これは、ラベル巻４ｃに付された個体番号が「０３」であることを示す。また、ラベル巻４ｃについて、残枚数部５４２６に残枚数「１５００」を記憶されている。これは、ラベル巻４ｃにおけるラベルＲの残枚数は５０枚であることを示す。
【００３９】
ラベル巻４ｄについて、使用機番号部５４２１に使用機番号が「−」が記憶されている。これは、ラベル巻４ｄがラベルプリンタ１に装着されていない（所定の保管場所に保管されている）ことを示す。また、ラベル巻４ｄについて、ラベル種類部５４２２に「Ｂ」が記憶されている。これは、ラベル巻４ｄが保持するラベルの種類が「Ｂ」であることを示す。また、ラベル巻４ｄについて、ラベルサイズ部５４２３にラベルサイズが「縦８横１６」が記憶されている。これは、ラベル巻４ｄが保持しているラベルサイズが「縦８横１６」であることを示す。また、ラベル巻４ｄについて、ロット番号部５４２４にロット番号「１２３５」が記憶されている。これは、ラベル巻４ｄに付されたロット番号が「１２３５」であることを示す。また、ラベル巻４ｄについて、個体番号部５４２５に個体番号「０１」が記憶されている。これは、ラベル巻４ｄに付された個体番号が「０１」であることを示す。また、ラベル巻４ｄについて、残枚数部５４２６に残枚数「９００」を記憶されている。これは、ラベル巻４ｄにおけるラベルＲの残枚数は９００枚であることを示す。
【００４０】
ここからは、ラベルシステムに係る機能構成について説明する。図８は、ラベルシステムの機能構成を示す機能ブロック図である。図８に示すように、ラベルシステムにおけるラベルプリンタ１は、制御プログラム部１４１に記憶され、ＲＡＭ１３に展開された制御プログラムに従うことで、入力部１０１、送信部１０２、カウント部１０３、ラベル情報更新部１０４、ラベル情報送信部１０５、未印字枚数送信部１０６として機能する。また、ラベルシステムにおけるサーバ５は、制御プログラム部５４１に記憶され、ＲＡＭ５３に展開された制御プログラムに従うことで、ラベル巻抽出部５０１、指示部５０２として機能する。
【００４１】
入力部１０１は、ラベルＲの印字枚数の入力を受け付ける。具体的には、入力部１０１は、操作部２０から入力されたラベルＲの印字枚数を記憶することで、ラベルの印字枚数を受け付ける。
【００４２】
送信部１０２は、入力部１０１が入力を受け付けた印字枚数をサーバ５に送信する。具体的には、送信部１０２は、印字枚数と当該ラベルプリンタ１を特定する使用機番号をサーバ５に送信する。
【００４３】
カウント部１０３は、ラベルプリンタ１が印字したラベルの枚数をカウントして記憶する。
【００４４】
ラベル情報更新部１０４は、ラベルの印字枚数と印字したラベルの枚数に基づいて残枚数部１４２６に記憶されているラベルＲの残枚数を更新する。具体的には、ラベル情報更新部１０４は、残枚数部１４２６に記憶されている残枚数から、前記カウント記憶部１３３に記憶されている印字したラベルの枚数を減算した新たな残枚数を残枚数部１４２６に記憶する。
【００４５】
ラベル情報送信部１０５は、更新したラベル巻記憶部１４２に記憶されているラベル巻４のラベル巻情報を、サーバ５に送信する。
【００４６】
未印字枚数送信部１０６は、入力部１０１が受け付けた印字枚数を印字終了する前にラベルＲがなくなった場合には、ラベルＲの未印字枚数を前記サーバに送信する。具体的には、未印字枚数送信部１０６は、印字枚数記憶部１３２に記憶されたラベルの印字枚数とカウント記憶部１３３に記憶された印字したラベルの枚数とを比較し、印字枚数記憶部１３２に記憶されたラベルの印字枚数がカウント記憶部１３３に記憶された印字したラベルの枚数より多い状態でラベル巻４に保持されたラベルＲがなくなった場合には、印字枚数記憶部１３２に記憶されたラベルの印字枚数とカウント記憶部１３３に記憶された印字したラベルの枚数の差分のラベルの未印字枚数（印字すべきラベルの枚数）をサーバ５に送信する。また、未印字枚数送信部１０６は、同時に、当該ラベル巻４が装着されているラベルプリンタ１の使用機番号を、サーバ５に送信する。
【００４７】
印字情報記憶部１０７は、サーバ５または情報処理装置から受信した印字情報（ラベルＲに印字する印字データ、ラベル種類、ラベルサイズを含む情報）を印字情報部１３１に記憶する。
【００４８】
ラベル巻抽出部５０１は、送信部１０２から送信された印字枚数とラベルテーブル５４２が記憶する印字可能なラベルの枚数に基づいてラベルプリンタ１で使用するラベル巻を抽出する。具体的には、ラベル巻抽出部５０１は、ラベルプリンタ１の送信部１０２が送信した印字枚数、印字情報部１３１が記憶しているラベル種類とラベルサイズの情報、ラベルテーブル５４２の残枚数部５４２６に記憶されている、当該ラベル種類とラベルサイズに係るラベル巻４の残枚数に基づいて、当該ラベルプリンタ１に装着するラベル巻４を抽出する。
【００４９】
この際、ラベル巻抽出部５０１は、送信部１０２が送信した印字枚数以上の残枚数を残枚数部５４２６に記憶しているラベル巻４があれば、当該ラベル巻４を抽出する。また、送信部１０２が送信した印字枚数以上の残枚数を残枚数部５４２６に記憶しているラベル巻４がラベルテーブル５４２にない場合には、ラベル巻抽出部５０１は、送信されたラベル種類、ラベルサイズが同じラベル巻４を抽出する。
【００５０】
また、ラベル巻抽出部５０１は、ラベルテーブル５４２が記憶しているラベルプリンタ１に装着されていないラベル巻４からラベルプリンタ１で使用するラベル巻４を抽出する。具体的には、ラベル巻抽出部５０１は、送信部１０２が送信した印字枚数を受信した場合、ラベルテーブル５４２に記憶されているラベル巻４のうち、ラベルプリンタ１に装着されていないラベル巻４から、当該ラベルプリンタ１に装着するラベル巻４を抽出する。
【００５１】
指示部５０２は、未印字枚数送信部１０６が送信した未印字枚数のラベルを印字可能な他のラベルプリンタ１に印字指示する。具体的には、ラベルシステムにラベルプリンタ１が複数台接続されている場合に、指示部５０２は、未印字枚数送信部１０６が送信した未印字枚数のラベルを印字可能な他のラベルプリンタ１に対し、未印字枚数のラベルを印字するように指示する。また、指示部５０２は、当該ラベルプリンタ１に対して、印字データを送信する。
【００５２】
ここからは、ラベルプリンタ１の制御について説明する。図９は、ラベルプリンタ１の制御処理の流れを示すフローチャートである。図９に示すように、ラベルプリンタ１の制御部１００は、サーバ５あるいは他の装置から、ラベルＲの印字に係る印字情報を受信したかを判断する（Ｓ１１）。ラベルＲに印字するための印字情報を受信したと判断した場合には（Ｓ１１のＹｅｓ）、印字情報記憶部１０７は、当該印字情報を印字データ記憶部１３１に記憶する（Ｓ１２）。そして制御部１００は、Ｓ１１に戻る。
【００５３】
また、ラベルＲに印字する印字情報の受信ではないと判断した場合には（Ｓ１１のＮｏ）、操作部２０からラベルの印字枚数が入力されたかを判断する（Ｓ２１）。操作部２０からラベルの印字枚数が入力されたと判断した場合には（Ｓ２１のＹｅｓ）、入力部１０１は、操作部２０から入力されたラベルＲの印字枚数を印字枚数記憶部１３２に記憶することで、ラベルの印字枚数を受け付ける（Ｓ２２）。次に送信部１０２は、記憶した印字枚数と印字情報をサーバ５に送信して、装着するラベル巻４を問い合わせる（Ｓ２３）。次に制御部１００は、サーバ５から、Ｓ２３の問い合わせに対する回答（すなわち装着するラベル巻４の情報）があったかを判断する（Ｓ２４）。回答があるまで待機し（Ｓ２４のＮｏ）、サーバ５から回答があったと判断した場合には（Ｓ２４のＹｅｓ）、制御部１００は、回答に含まれるラベル巻４の個体番号を、表示部１９に表示する（Ｓ２５）。
【００５４】
Ｓ２５で表示されるラベルプリンタ１の表示について説明する。図１０は、ラベルプリンタ１の表示例を示す図である。図１０に示すように、表示部１９には、装着するラベル巻４の個体番号（ラベル番号）を示す説明Ｍ１を表示する。また、表示部１９には、ラベルＲの印字を開始するためのスタートキー２０１が表示される。ラベルプリンタ１の操作者は、この表示を見て、該当する個体番号のラベル巻４をラベルプリンタ１に装着し、ラベルの印字枚数を入力してスタートキー２０１を操作する。すると、ラベルプリンタ１はラベルＲに対して印字を開始する。
【００５５】
図９の説明に戻る。次に制御部１００は、回答があったラベル巻４がラベルプリンタ１に装着されたかを判断する（Ｓ２６）。ラベル装着センサ２１がラベル巻４の装着を検知した場合、制御部１００は、ラベル巻４が装着されたと判断する。ラベル巻が装着されるまで待機し（Ｓ２６のＮｏ）、ラベル巻４が装着されたと判断した場合には（Ｓ２６のＹｅｓ）、制御部１００は、無線タグＲ／Ｗ２２を用いて、当該ラベル巻４に貼付された無線タグＴからラベル巻情報を含むタグ情報を読み取る（Ｓ２７）。そして制御部１００は、読み取ったラベル巻情報をラベル巻記憶部１４２に記憶する（Ｓ２８）。
【００５６】
次に制御部１００は、スタートキー２０１が操作されたかを判断する（Ｓ３１）。スタートキー２０１が操作されるまで待機し（Ｓ３１のＮｏ）、スタートキー２０１が操作されたと判断した場合には（Ｓ３１のＹｅｓ）、制御部１００は、モータ１７を駆動してプラテン６を回転させて、装着されているラベル巻４からラベルＲを引き出す。そして制御部１００は、印字データ記憶部１３１に記憶されている印字データに基づいてサーマルヘッド８を駆動して、ラベルＲへの印字を行う（Ｓ３１）。そしてカウント部１０３は、印字したラベルの数をカウントして、カウント値をカウント記憶部１３３に記憶する（Ｓ３２）。すなわち、カウント記憶部１３３には、印字したラベルの枚数が記憶される。
【００５７】
次に制御部１００は、ラベルＲへの印字が終了したかを判断する（Ｓ３３）。カウント記憶部１３３に記憶したラベルの印字枚数が印字データ記憶部１３１に記憶されている印字データに達した場合には、制御部１００は、ラベルＲへの印字が終了したと判断する。カウント記憶部１３３に記憶したラベルの印字枚数が印字データ記憶部１３１に記憶されている印字データにまだ達していない場合には、制御部１００は、ラベルＲへの印字は終了していないと判断する。ラベルＲへの印字が終了したと判断した場合には（Ｓ３３のＹｅｓ）、制御部１００は、表示部１９に、入力された印字枚数のラベルの印字が終了したことを示すメッセージを表示する（Ｓ３４）。そしてラベル情報更新部１０４は、ラベル巻記憶部１４２の残枚数部１４２６に記憶されているラベル巻４が保持しているラベルＲの残枚数を更新する（Ｓ３５）。すなわち、ラベル情報更新部１０４は、残枚数部１４２６に記憶されているラベルＲの残枚数からカウント記憶部１３３が記憶している印字したラベルの枚数を減算した数値を、新たなラベルＲの残枚数として残枚数部１４２６に記憶して、ラベル巻記憶部１４２を更新する（Ｓ３５）。そしてラベル情報送信部１０５制は、更新したラベル巻記憶部１４２に記憶されているラベル巻４のラベル巻情報をサーバ５に送信する（Ｓ３６）。そして制御部１００は、Ｓ１１に戻る。
【００５８】
また、Ｓ３３において、ラベルＲへの印字は終了していないと判断した場合には（Ｓ３３のＮｏ）、制御部１００は、ラベルプリンタ１に装着しているラベル巻４に保持されているラベルＲがなくなったか（すなわち、ラベル巻４に保持しているすべてのラベルＲが印字されたか）を判断する（Ｓ３７）。ラベルプリンタ１には、ラベル巻４に保持されているラベルＲを検知するセンサ（図示せず）がラベルＲの搬送経路内に設けられている。制御部１００は、このセンサがラベルＲがないことを検知した場合に、ラベルＲがなくなったと判断する。
【００５９】
ラベルＲがなくなったと判断した場合には（Ｓ３７のＹｅｓ）、未印字枚数送信部１０６は、入力された印字枚数に対してまだ印字していないラベルＲの未印字枚数を算出してサーバ５に送信する（Ｓ３８）。具体的には、未印字枚数送信部１０６は、印字枚数記憶部１３２に記憶されている印字枚数からカウント記憶部１３３に記憶されている印字したラベルの枚数を減算した数値を未印字枚数としてサーバ５に送信する（Ｓ３８）。この際、未印字枚数送信部１０６は、印字情報もサーバ５に送信する。
【００６０】
次に、制御部１００は、Ｓ３８で送信した未維持枚数のラベルＲを印字する他のラベルプリンタ１の回答を受信する（Ｓ３９）。そして制御部１００は、受信した他のラベルプリンタ１に係る情報を表示部１９に表示する（Ｓ４０）。
【００６１】
ここで、Ｓ４０で表示される他のラベルプリンタ１について説明する。図１１は、ラベルプリンタ１ン表示された他のラベルプリンタ１を示す図である。図１１に示すように、表示部１９には、印字するラベルがなくなったこと、および未印字枚数の表示Ｍ２が表示される。また、表示部１９には、未印字枚数のラベルＲを印字する他のラベルプリンタ１を特定する使用機番号（図１１の例では「００２」）を示す表示Ｍ３を表示する。ラベルプリンタ１の操作者は、表示Ｍ２を見て、ラベルがなくなったことと未印字枚数を把握し、かつ未印字枚数のラベルＲを印字する他のラベルプリンタ１を知ることができる。
【００６２】
そして制御部１００は、Ｓ３５の処理とＳ３６の処理を実行する。この場合、Ｓ３５の処理において、ラベル情報更新部１０４は、残枚数部１４２６の残枚数を「０」に更新する。
【００６３】
なお、ラベルＲはなくなっていないと判断した場合には（Ｓ３７のＮｏ）、制御部１００はＳ３２に戻り、ラベルＲの印字を続ける。
【００６４】
また、Ｓ２１において、ラベルの印字枚数の入力ではないと判断した場合には（Ｓ２１のＮｏ）、制御部１００は、ラベル装着センサ２１の出力に基づいて、ラベル保持部９からラベル巻４が取り外されたかを判断する（Ｓ５１）。ラベル保持部９からラベル巻４が取り外されたと判断した場合には（Ｓ５１のＹｅｓ）制御部１００は、ラベル記憶部１４２に記憶されているラベル巻情報を呼び出して、使用機番号部１４２１に記憶されている使用機番号を「−」に変更してサーバ５に送信する（Ｓ５２）。サーバ５は、受信したラベル巻情報に基づいて、当該ラベル巻４がラベルプリンタ１から取り外されたことを示す情報を、ラベルテーブル（５４２）の使用機番号部５４２１に記憶させる。なお、ラベル巻４は取り外されていないと判断した場合には（Ｓ５１のＮｏ）制御部１００は、Ｓ１１に戻る。
【００６５】
なお、図９には図示していないが、ラベルプリンタ１は、サーバ５から、未印字情報、印字データとともに指示部５０２による印字指示を受信した場合には、未印字情報に含まれる枚数のラベルＲの印字を行う。
【００６６】
ここからは、無線タグリーダ３の制御について説明する。図１２は、無線タグリーダ３の制御処理の流れを示すフローチャートである。図１２に示すように、無線タグリーダ３の制御部３００は、アンテナ３９がラベル巻４に貼付された無線タグＴからタグ情報を受信したかを判断する（Ｓ４１）。ラベルプリンタ１の操作者は、例えば段ボールに収納されている未使用のラベル巻４を取り出したときに、無線タグＴを無線タグリーダ３に翳してタグ情報（無線タグＴが貼付されているラベル巻４のラベル巻情報を含む）を読み取らせる。ラベル巻４に貼付された無線タグＴからタグ情報を受信したと判断した場合には（Ｓ４１のＹｅｓ）、制御部３００は、アンテナ３９が受信したタグ情報を読み取る（Ｓ４２）。そして制御部３００は、読み取ったタグ情報に含まれるラベル巻４のラベル巻情報をサーバ５に送信する（Ｓ４３）。そして制御部３００は、Ｓ４１に戻る。また、アンテナ３９は無線タグＴからタグ情報を受信していないと判断した場合には（Ｓ４１のＮｏ）、制御部３００はＳ４１に戻る。
【００６７】
ここからは、サーバ５の制御について説明する。図１３は、サーバ５の制御処理の流れを示すフローチャートである。図１３に示すように、サーバ５の制御部５００は、ラベル情報を受信したかを判断する（Ｓ６１）。ラベル情報を受信したと判断した場合には（Ｓ６１のＹｅｓ）、制御部５００は、当該ラベル情報に基づいてラベルテーブル５４２に記憶された情報を更新する（Ｓ６２）。ラベル情報は、無線タグリーダ３から受信する場合とラベルプリンタ１から受信する場合がある。無線タグリーダ３からラベル情報を受信した場合には、新しいラベル巻４のラベル情報を受信したので、ラベルテーブル５４２に新たなラベル巻４のラベル情報を追加する（Ｓ６２）。また、ラベルプリンタ１からラベル情報を受信した場合には、ラベルプリンタ１においてラベルＲの印字を行った後のラベル巻４が保有するラベルＲのラベル情報の受信であるため、ラベルテーブル５４２にすでに記憶されているラベル情報に上書きして当該ラベル情報を更新する（Ｓ６２）。そして制御部５００は、受信した印字データを印字データ記憶部５３１に記憶する（Ｓ６３）。そして制御部５００は、Ｓ６１に戻る。
【００６８】
また、ラベル情報の受信ではないと判断した場合には（Ｓ６１のＮｏ）、次に制御部５００は、送信部１０２が送信した印字枚数と印字情報を受信したかを判断する（Ｓ７１）。送信部１０２が送信した印字枚数と印字情報を受信したと判断した場合には（Ｓ７１のＹｅｓ）、制御部５００は、ラベルテーブル５４２を検索し、ラベルプリンタ１に装着されていないラベル巻４であって、かつ当該印字枚数のラベルＲを印字可能な数のラベルＲを保持しているラベル巻４であって、かつ受信した印字情報に含まれるラベル種類とラベルサイズが同一のラベル巻４の有無を判断する（Ｓ７２）。該当するラベル巻４がラベルテーブル５４２に存在すると判断した場合には（Ｓ７２のＹｅｓ）、ラベル巻抽出部５０１は、当該ラベル巻４を抽出する（Ｓ７３）。そして制御部５００は、抽出したラベル巻４を特定する個体番号を、問い合わせがあったラベルプリンタ１に送信する（Ｓ７４）。そして制御部５００は、Ｓ６１に戻る。
【００６９】
また、ラベルテーブル５４２に該当するラベル巻４は存在しないと判断した場合には（Ｓ７２のＮｏ）、制御部５００は、ラベルテーブル５４２から、ラベルプリンタ１の装着されていないラベル巻４であって、かつ当該印字枚数のラベルＲを印字可能な数のラベルＲは保持していないが受信した印字情報に含まれるラベル種類とラベルサイズが同一のラベル巻４を抽出する（Ｓ７５）。そして制御部５００は、抽出したラベル巻４を特定する個体番号を、問い合わせがあったラベルプリンタ１に送信する（Ｓ７６）。そして制御部５００は、Ｓ６１に戻る。なお、Ｓ７５において、ラベルプリンタ１の装着されていないラベル巻４であって、かつ当該印字枚数のラベルＲを印字可能な数のラベルＲは保持していないが受信した印字情報に含まれるラベル種類とラベルサイズが同一のラベル巻４が存在しないと判断した場合には、制御部５００は、問い合わせがあったラベルプリンタ１にその旨を通知する。
【００７０】
また、Ｓ７１において、送信部１０２が送信した印字枚数と印字情報の受信ではないと判断した場合には（Ｓ７１のＮｏ）、制御部５００は、ラベルプリンタ１から未印字情報と使用機番号を受信したかを判断する（Ｓ８１）。未印字情報と印字情報を受信したと判断した場合には（Ｓ８１のＹｅｓ）、制御部５００は、未印字情報に含まれる印字していないラベルＲの枚数と、印字情報に基づいてラベルテーブル５４２を検索して、当該使用機番号で特定されるラベルプリンタ１に装着されているラベル巻４のラベル種類とラベルサイズと同一のラベル種類とラベルサイズのラベル巻４を特定し、未印字枚数以上のラベルＲを保持する当該ラベル巻４が装着されているラベルプリンタ１の有無を判断する（Ｓ８２）。該当するラベルプリンタ１が存在すると判断した場合には（Ｓ８２のＹｅｓ）、制御部５００は、当該ラベルプリンタ１を特定する使用機番号を、問い合わせがあったラベルプリンタ１に送信する（Ｓ８３）。そして指示部５０２は、未印字枚数送信部１０６が送信した未印字枚数のラベルを、Ｓ８３で特定した使用機番号のラベルプリンタ１に印字するよう指示する（Ｓ８４）。具体的には、指示部５０２は、Ｓ８３で特定した使用機番号のラベルプリンタ１に対し、印字データ記憶部５３１に記憶されている印字データと、未印字枚数と、印字コマンドを送信し、かつ未印字枚数分のラベルＲの印字指示を行う（Ｓ８４）。そして制御部５００は、Ｓ６１に戻る。
【００７１】
また、Ｓ８２において、該当するラベルプリンタ１は存在しないと判断した場合には（Ｓ８２のＮｏ）、制御部５００は、該当するラベルプリンタ１がないことを示すメッセージを問い合わせがあったラベルプリンタ１に送信する（Ｓ８５）。そして制御部５００は、Ｓ６１に戻る。
【００７２】
このような実施形態によれば、入力部１０１が受け付けた印字枚数に基づいてラベル巻抽出部５０１が使用可能なラベル巻４を抽出する。そのため、ラベル巻４をラベルプリンタ１に装着しなくても必要枚数のラベルを印字可能なラベル巻が分かる。
【００７３】
また、実施形態によれば、ラベル巻抽出部５０１は、印字枚数以上の印字可能なラベルの枚数を保持するラベル巻を抽出する。そのため、ラベル巻４をラベルプリンタ１に装着しなくても必要枚数のラベルを印字可能なラベル巻が分かる。
【００７４】
また、実施形態によれば、印字枚数以上の印字可能なラベルの枚数を保持するラベル巻がない場合には、前記印字枚数とともに送信された印字情報に含まれるラベル種類およびラベルサイズに基づいて、同一のラベルが貼付されたラベル巻を抽出する。そのため、当該ラベル巻４を装着してラベルＲを印字することができる。
【００７５】
また、実施形態によれば、ラベルＲを印字終了前にラベルＲがなくなった場合には、ラベルの未印字枚数をサーバ５に送信し、サーバ５は、未印字枚数分のラベルＲを他のラベルプリンタ１に印字させる指示をする。そのため、ラベルＲの印字終了前にラベルＲがなくなった場合に、他のラベルプリンタ１を用いて未印字枚数のラベルＲを印字することができる。
【００７６】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００７７】
例えば、実施形態では、操作部２０から入力されたラベルの印字枚数に基づいてラベルの印字を行った。しかしながらこれに限らず、例えば、外部装置から受信することで入力された印字枚数分のラベルを印字するようにしてもよい。
【００７８】
また、実施形態では、ラベルプリンタ１とサーバ５をラベルシステムとして説明した。しかしながら、サーバ５の機能を有するラベルプリンタ１をラベルシステムとしてもよい。
【００７９】
また、実施形態では、ラベルプリンタ１とサーバ５をラベルシステムとして説明した。しかしながら、ラベルシステムは、ラベルプリンタ１とサーバ５以外の構成をさらに備えていてもよい。
【００８０】
また、実施形態によれば、ラベル巻４を、長尺状の台紙に、複数枚の未印字のラベルが一定間隔に保持され、巻回されたロール状のものとして説明した。しかしながらこれに限らず、例えば、ラベル巻４は、台紙に連続した切れ間がないラベル（ライナレスラベル）が保持されているものであってもよい。この場合、ラベルの印字枚数に伴うラベルの残存枚数の代わりにラベルの残存長さを管理する。
【符号の説明】
【００８１】
１      ラベルプリンタ
３      無線タグリーダ
４      ラベル巻
５      サーバ
１１    ＣＰＵ
３１    ＣＰＵ
３７    表示部
３８    操作部
５１    ＣＰＵ
５７    表示部
５８    操作部
１００  制御部
１０１  入力部
１０２  送信部
１０３  カウント部
１０４  ラベル情報更新部
１０５  ラベル情報送信部
１０６  未印字枚数送信部
１３１  印字データ記憶部
１３２  印字枚数記憶部
１３３  カウント記憶部
１４２  ラベル巻記憶部
３００  制御部
３３１  タグ記憶部
５００  制御部
５０１  ラベル巻抽出部
５０２  指示部
５３１  印字データ記憶部
５４２  ラベルテーブル
１４２１  使用機番号部
１４２２  ラベル種類部
１４２３  ラベルサイズ部
１４２４  ロット番号部
１４２５  個体番号部
１４２６  残枚数部
５４２１  使用機番号部
５４２２  ラベル種類部
５４２３  ラベルサイズ部
５４２４  ロット番号部
５４２５  個体番号部
５４２６  残枚数部
【先行技術文献】
【特許文献】
【００８２】
【特許文献１】特開２００４−２６８３４９号公報
【図１】
2020160699.tif 000003
【図２】
2020160699.tif 000004
【図３】
2020160699.tif 000005
【図４】
2020160699.tif 000006
【図５】
2020160699.tif 000007
【図６】
2020160699.tif 000008
【図７】
2020160699.tif 000009
【図８】
2020160699.tif 000010
【図９】
2020160699.tif 000011
【図１０】
2020160699.tif 000012
【図１１】
2020160699.tif 000013
【図１２】
2020160699.tif 000014
【図１３】
2020160699.tif 000015